(57)【特許請求の範囲】
【請求項１】
規格により送信開始時における時間対送信出力特性が段階的に緩やかに変化するように定められたＴＤＭＡ（時分割多重接続）通信方式を採用している通信端末におけるアンテナスイッチ制御装置であって、
前記規格の段階的に変化する最初の期間に相当する期間、アンテナスイッチのアンテナ接続ポートを、前記ＴＤＭＡ通信方式の周波数バンドとは異なる周波数バンドのパスに接続制御する制御手段を含むことを特徴とする装置。
【請求項２】
前記通信端末は、ＴＤＭＡ通信方式以外の他の通信方式と共用可能であり、
前記制御手段は、前記期間には、アンテナスイッチのアンテナ接続ポートを、前記他の通信方式のパスに接続することを特徴とする請求項１記載の装置。
【請求項３】
前記通信方式は、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎ）方式であり、
前記制御手段は、前記期間には、アンテナスイッチのアンテナ接続ポートを、前記ＧＳＭ（登録商標）方式の送信周波数バンドとは異なる前記ＧＳＭ（登録商標）方式の受信周波数バンドのパスに接続することを特徴とする請求項１記載の装置。
【請求項４】
規格により送信開始時における時間対送信出力特性が段階的に緩やかに変化するように定められたＴＤＭＡ（時分割多重接続）通信方式を採用している通信端末におけるアンテナスイッチ制御装置であって、
前記規格の段階的に変化する最初の期間に相当する期間、アンテナスイッチのアンテナ接続ポートを、終端用のパスに接続制御する制御手段を含むことを特徴とする装置。
【請求項５】
規格により送信開始時における時間対送信出力特性が段階的に緩やかに変化するように定められたＴＤＭＡ（時分割多重接続）通信方式を採用している通信端末におけるアンテナスイッチ制御方法であって、
前記規格の段階的に変化する最初の期間に相当する期間、アンテナスイッチのアンテナ接続ポートを、前記ＴＤＭＡ通信方式の周波数バンドとは異なる周波数バンドのパスに接続制御する制御ステップを含むことを特徴とする方法。
【請求項６】
前記通信端末は、ＴＤＭＡ通信方式以外の他の通信方式と共用可能であり、
前記制御ステップは、前記期間には、アンテナスイッチのアンテナ接続ポートを、前記他の通信方式のパスに接続することを特徴とする請求項５記載の方法。
【請求項７】
前記通信方式は、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎ）方式であり、
前記制御ステップは、前記期間には、アンテナスイッチのアンテナ接続ポートを、前記ＧＳＭ（登録商標）方式の送信周波数バンドとは異なる前記ＧＳＭ（登録商標）方式の受信周波数バンドのパスに接続することを特徴とする請求項５記載の方法。
【請求項８】
規格により送信開始時における時間対送信出力特性が段階的に緩やかに変化するように定められたＴＤＭＡ（時分割多重接続）通信方式を採用している通信端末におけるアンテナスイッチ制御方法であって、
前記規格の段階的に変化する最初の期間に相当する期間、アンテナスイッチのアンテナ接続ポートを、終端用のパスに接続制御する制御ステップを含むことを特徴とする方法。
【請求項９】
規格により送信開始時における時間対送信出力特性が段階的に緩やかに変化するように定められたＴＤＭＡ（時分割多重接続）通信方式を採用している通信端末におけるアンテナスイッチ制御方法の動作をコンピュータに実行させるためのプログラムであって、
前記規格の段階的に変化する最初の期間に相当する期間、アンテナスイッチのアンテナ接続ポートを、前記ＴＤＭＡ通信方式の周波数バンドとは異なる周波数バンドのパスに接続制御する処理を含むことを特徴とするプログラム。
【請求項１０】
規格により送信開始時における時間対送信出力特性が段階的に緩やかに変化するように定められたＴＤＭＡ（時分割多重接続）通信方式を採用している通信端末におけるアンテナスイッチ制御方法の動作をコンピュータに実行させるためのプログラムであって、
前記規格の段階的に変化する最初の期間に相当する期間、アンテナスイッチのアンテナ接続ポートを、終端用のパスに接続制御する処理を含むことを特徴とするプログラム。                                                          
【発明の詳細な説明】
【技術分野】
【０００１】
本発明はアンテナスイッチ制御装置及びその方法に関し、特に異なる２つの通信方式に共用可能な通信端末に適用して好適なアンテナスイッチの制御方式に関するものである。
【背景技術】
【０００２】
通信端末である携帯電話機における通信方式は、国や地域に応じた規格により、そのアクセス方式や使用周波数バンドなどが相違しており、例えば、米国や日本などにおける、ＷＣＤＭＡ（Ｗｉｄｅ−ｂａｎｄ  Ｃｏｄｅ  Ｄｉｖｉｓｉｏｎ  Ｍｕｌｔｉｐｌｅ  Ａｃｃｅｓｓ）に代表されるＣＤＭＡ（符号分割多重接続）方式や、欧州を中心としたＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）規格に代表されるＴＤＭＡ（時分割多重接続）方式などがある。
【０００３】
前者のＣＤＭＡ方式では、送受信は同時に行われるが、後者のＴＤＭＡ方式では、送受信は時分割で行われて送信（ＴＸ）と受信（ＲＸ）とは異なる時刻（Ｓｌｏｔ：スロット）で行われるものである（図５参照）。なお、このような送受信のタイミングが全く異なる通信方式を共用するデュアル通信方式対応の携帯電話機の例が特許文献１に開示されている。
【０００４】
ここで、主に、ＧＳＭなどのＴＤＭＡ方式を採用した通信端末において使用される送受信機に対しては、送信時の、いわゆるＲａｍｐ  ｕｐ／ｄｏｗｎ（立上がり／立下がり）の特性として、Ｐｏｗｅｒ／Ｔｉｍｅ  ｔｅｍｐｌａｔｅなるスペック（ｓｐｅｃ．）が規定されている。このスペックは、３ＧＰＰ（３ｒｄ  Ｇｅｎｅｒａｔｏｉｎ  Ｐａｒｔｎｅｒｓｈｉｐ  Ｐｒｏｊｅｃｔ）  ＴＳ５１．０１０−１の１３．７  “Ｔｒａｎｓｍｉｔｔｅｒ  ｏｕｔｐｕｔ  ｐｏｗｅｒ  ａｎｄ  ｂｕｒｓｔ  ｔｉｍｉｎｇ  ｉｎ  ＨＳＣＳＤ  ｃｏｎｆｉｇｕｒａｔｉｏｎｓ”のＦｉｇｓ．１３．７−２及び１３．７−３に規定されているものである。
【０００５】
このスペックは、図４の上側の送信波形（例）における実線の階段状で示すＰｏｗｅｒ／Ｔｉｍｅ  ｔｅｍｐｌａｔｅと称されるものであり、１フレームで送信（ＴＸ）スロット（１スロット＝約５７７ｕｓ）を実行する際に、当該スロット内での送信波形を定義するものである。図４からも分かるように、このスペックは、時間（Ｔｉｍｅ）対送信出力（Ｐｏｗｅｒ）の規格であり、送信開始タイミングから順次、段階的に緩やかな規格に変化するものとなっている。
【０００６】
このＧＳＭ送信時のＰｏｗｅｒ／Ｔｉｍｅ  ｔｅｍｐｌａｔｅのスペックにおける規格が厳しい送信の立上がり始めの規格を満たすために、アンテナスイッチを、図４における送信（ＴＸ）スロットの最初の規格が厳しい期間では、受信パスに切替えて待機しておき、その後に、送信パスに切替えるよう制御するようになっている。こうすることにより、アンテナスイッチにおけるアイソレーション特性（詳細は後述する）をより良くするようになっている。
【０００７】
ここで、このＧＳＭ方式には、Ｅ−ＧＳＭ送受信とＧＳＭ８５０送受信、更にはＰＣＳ送受信とＤＣＳ送受信とがあり、Ｅ−ＧＳＭ送信とＧＳＭ８５０受信、ＰＣＳ送信とＤＣＳ受信とは、周波数が互いに重複している部分がある（図６参照）。
【先行技術文献】
【特許文献】
【０００８】
【特許文献１】特開２００２−３２５０４９号公報
【発明の概要】
【発明が解決しようとする課題】
【０００９】
従って、上述したように、ＧＳＭ送信の立上がりの始めでは、アンテナスイッチを受信パスに接続しておくことで、アンテナスイッチでのアイソレーション度を良くする方法では、ダイプレクサタイプの受信ＢＰＦ（バンドパスフィルタ）を用いている場合には、周波数の重複部分で、このＢＰＦの通過帯域内となってしまい、最悪の場合には、上記のＰｏｗｅｒ／Ｔｉｍｅ  ｔｅｍｐｌａｔｅの一番厳しい送信立上がり部での規格を満たすことができないという課題がある。
【００１０】
本発明の目的は、ＧＳＭ方式に代表されるＴＤＭＡ通信方式における上記のスペックを十分に満足できるようにしたアンテナスイッチ制御装置及びその方法を提供することである。
【課題を解決するための手段】
【００１１】
本発明によるアンテナスイッチ制御装置は、
規格により送信開始時における時間対送信出力特性が段階的に緩やかに変化するように定められたＴＤＭＡ（時分割多重接続）通信方式を採用している通信端末におけるアンテナスイッチ制御装置であって、
前記規格の段階的に変化する最初の期間に相当する期間、アンテナスイッチのアンテナ接続ポートを、前記ＴＤＭＡ通信方式の周波数バンドとは異なる周波数バンドのパスに接続制御する制御手段を含むことを特徴とする。
【００１２】
本発明による他のアンテナスイッチ制御装置は、
規格により送信開始時における時間対送信出力特性が段階的に緩やかに変化するように定められたＴＤＭＡ（時分割多重接続）通信方式を採用している通信端末におけるアンテナスイッチ制御装置であって、
前記規格の段階的に変化する最初の期間に相当する期間、アンテナスイッチのアンテナ接続ポートを、終端用のパスに接続制御する制御手段を含むことを特徴とする。
【００１３】
本発明によるアンテナスイッチ制御方法は、
規格により送信開始時における時間対送信出力特性が段階的に緩やかに変化するように定められたＴＤＭＡ（時分割多重接続）通信方式を採用している通信端末におけるアンテナスイッチ制御方法であって、
前記規格の段階的に変化する最初の期間に相当する期間、アンテナスイッチのアンテナ接続ポートを、前記ＴＤＭＡ通信方式の周波数バンドとは異なる周波数バンドのパスに接続制御する制御ステップを含むことを特徴とする。
【００１４】
本発明による他のアンテナスイッチ制御方法は、
規格により送信開始時における時間対送信出力特性が段階的に緩やかに変化するように定められたＴＤＭＡ（時分割多重接続）通信方式を採用している通信端末におけるアンテナスイッチ制御方法であって、
前記規格の段階的に変化する最初の期間に相当する期間、アンテナスイッチのアンテナ接続ポートを、終端用のパスに接続制御する制御ステップを含むことを特徴とする。
【００１５】
本発明によるプログラムは、
規格により送信開始時における時間対送信出力特性が段階的に緩やかに変化するように定められたＴＤＭＡ（時分割多重接続）通信方式を採用している通信端末におけるアンテナスイッチ制御方法の動作をコンピュータに実行させるためのプログラムであって、
前記規格の段階的に変化する最初の期間に相当する期間、アンテナスイッチのアンテナ接続ポートを、前記ＴＤＭＡ通信方式の周波数バンドとは異なる周波数バンドのパスに接続制御する処理を含むことを特徴とする。
【００１６】
本発明による他のプログラムは、
規格により送信開始時における時間対送信出力特性が段階的に緩やかに変化するように定められたＴＤＭＡ（時分割多重接続）通信方式を採用している通信端末におけるアンテナスイッチ制御方法の動作をコンピュータに実行させるためのプログラムであって、
前記規格の段階的に変化する最初の期間に相当する期間、アンテナスイッチのアンテナ接続ポートを、終端用のパスに接続制御する処理を含むことを特徴とする。
【発明の効果】
【００１７】
本発明によれば、ＴＤＭＡ通信方式において、アンテナスイッチでのアイソレーションを良好とすることにより、送信の立上がり始めのタイミングでの厳しい規格を十分に満足できるという効果がある。
【図面の簡単な説明】
【００１８】
【図１】本発明の原理を説明するための概略図である。
【図２】本発明の一実施の形態を示すブロック図である。
【図３】図２におけるアンテナスイッチ２の切替信号の例を示す図である。
【図４】Ｐｏｗｅｒ／Ｔｉｍｅ  ｔｅｍｐｌａｔｅのスペックに対するＧＳＭ送信波形の例と、この波形に対応したタイミングでの各部の制御のためのレジスタ１４２の設定例を示す図である。
【図５】ＧＳＭ方式におけるフレーム構成図である。
【図６】ＧＳＭ方式における使用周波数バンドを示す図である。
【図７】ＧＳＭ方式における送受信パス間の干渉を説明するための図である。
【図８】本発明の他の実施の形態を示すブロック図である。
【図９】図８におけるアンテナスイッチ２の切替信号の例を示す図である。
【発明を実施するための形態】
【００１９】
以下に、本発明の実施の形態について説明するが、それに先立って、本発明の概要を、図１の原理図を用いて説明する。図１を参照すると、本発明によるアンテナスイッチ制御装置は、アンテナ１００と、アンテナスイッチ２００と、ＴＤＭＡ送信系の周波数バンドとは異なるバンドのパス３００と、ＴＤＭＡ送信系４００と、アンテナスイッチ２００を切替制御する制御部５００とを含んで構成されている。
【００２０】
ＴＤＭＡ通信方式（例えば、ＧＳＭ方式など）における送信期間の立上がり時や立下がり時を除く定常の送信状態の期間は、アンテナ１００がＴＤＭＡ送信系４００に接続されるように、アンテナスイッチ２００は、制御部５００により切替制御されるが、それ以外の待機期間（送信期間の立上がり時や立下がり時を含む）は、ＴＤＭＡ送信系の周波数バンドとは異なるバンドのパス３００に切替えておくのである。
【００２１】
より詳しくは、前述したスペック、すなわち、Ｐｏｗｅｒ／Ｔｉｍｅ  ｔｅｍｐｌａｔｅの一番厳しい送信立上がり時の最初の規格を満たすために、ＴＤＭＡ通信方式の送信期間（図５のＴＸ  Ｓｌｏｔ）以外の待機期間（図５のＩｄｌｅ  Ｓｌｏｔ）では、制御部５００の制御により、アンテナスイッチ２００のアンテナ接続ポートを、図１に示しているように、ＴＤＭＡ送信系４００に接続しておくのではなく、ＴＤＭＡ送信系の周波数バンドとは異なるバンドのパス３００に接続しておく。
【００２２】
そして、送信開始に応答して、特に、規格が厳しい送信時の立上がりの始めの部分である、図４の送信開始時の最初の約１０ｕｓの期間も、アンテナスイッチを待機状態と同じくパス３００に接続しておいて、その後の規格が緩やかになるタイミングで、初めてＴＤＭＡ送信系４００に接続するように切替え制御するのである。
【００２３】
このように、本発明では、ＴＤＭＡ送信の周波数バンドとは異なるバンドのパスに接続して送信待機しておき、送信開始時の規格が緩やかになるタイミングで初めて、送信系のパスに切替えることにより、アンテナスイッチ２内でのポート間のアイソレーションが極めて良好となり、結果として、上記スペックを十分に満たすことができるようになるのである。
【００２４】
具体的には、ＴＤＭＡ通信方式とＴＤＭＡ以外の通信方式との２つの通信方式を有するデュアル通信方式対応の通信端末の場合には、アンテナスイッチ２００のアンテナ接続ポートを、ＴＤＭＡ以外の通信方式の送受信系のパスに接続するようにすれば良い。
【００２５】
デュアル通信方式対応ではない通信端末の場合には、アンテナスイッチ２００に、ＧＮＤに接続された終端（Ｔｅｒｍ）ポートを設けて、送信時の立上がり始めのタイミングでは、その終端ポートにアンテナ接続ポートを接続するようにしても良い。
【００２６】
以下に、本発明の実施の形態について詳細に説明する。図２は本発明の実施の形態を示すブロック図である。本発明の実施の形態においては、図２に示すように、ＴＤＭＡ以外の通信方式として、ＷＣＤＭＡ（Ｄｕａｌ  ｂａｎｄ対応）方式を採用し、ＴＤＭＡ通信方式として、ＧＳＭ（Ｑｕａｄ  ｂａｎｄ対応）方式を採用した場合のデュアル通信方式対応の携帯端末の例である。図の上部がＷＣＤＭＡ送受信系であり、下部がＧＳＭ送受信系である。
【００２７】
アンテナ１から入力されたＷＣＤＭＡのＬｏｗ  Ｂａｎｄ（以下、ＬＢ）の受信信号がアンテナスイッチ２のＲＦ６ポートから共用器４に入力される。この時、アンテナスイッチ２は、デュアルＲＦＩＣ１４からのアンテナスイッチ切替信号１６によって、アンテナ接続用のＡＮＴポート−ＲＦ６ポートのパスが接続されるように制御される。
【００２８】
共用器４で帯域制限をかけられた受信信号は、デュアルＲＦＩＣ１４のＷＣＤＭＡ送受信部１４１に入力されてベースバンド帯域にダウンコンバートされた後、信号処理が行われ、ＣＰＵ／ＤＢＢ（Ｄｉｇｉｔａｌ  Ｂａｓｅ  Ｂａｎｄ）部１５に入力される。なお、このＣＰＵ／ＤＢＢ部１５は、各部の制御をなすＣＰＵの機能と、各通信方式に対応した情報の送受信用のデジタルベースバンド処理をなす機能とを有するものである。
【００２９】
一方、ＣＰＵ／ＤＢＢ部１５からデュアルＲＦＩＣ１４のＷＣＤＭＡ送受信部１４１に入力された送信ベースバンド信号は、信号処理が行われてアップコンバートされた後、送信バンドパスフィルタ８で帯域制限がかけられ、パワーアンプ７で増幅される。その後、アイソレータ６を介して、共用器４により帯域制限が施されて、アンテナスイッチ２を通して、アンテナ１から出力される。この時、ＷＣＤＭＡ受信の場合と同様に、アンテナスイッチ２はデュアルＲＦＩＣ１４からのアンテナスイッチ切替信号１６により、ＡＮＴポート−ＲＦ６ポートのパスが接続されるように制御されている。
【００３０】
ＷＣＤＭＡのＨｉｇｈ  Ｂａｎｄ（以下、ＨＢ）の送受信については、上述したＬＢのそれと同様の動作となるので、その説明は省略するものとする。
【００３１】
次に、下部のＧＳＭ送受信系について説明する。アンテナ１から入力されたＧＳＭのＬＢの受信信号がアンテナスイッチ２のＲＦ４ポートから受信バンドパスフィルタ９に入力される。この時、アンテナスイッチ２はデュアルＲＦＩＣ１４からのアンテナスイッチ切替信号１６によって、ＡＮＴポート−ＲＦ４ポートのパスが接続されるように制御される。
【００３２】
受信バンドパスフィルタ９により帯域制限をかけられた信号は、ＧＳＭ８５０あるいはＥ−ＧＳＭの受信信号として、デュアルＲＦＩＣ１４のＧＳＭ受信部１４３に入力され、ベースバンド帯域にダウンコンバートされた後、信号処理が行われてＣＰＵ／ＤＢＢ部１５に入力される。
【００３３】
一方、ＣＰＵ／ＤＢＢ部１５からデュアルＲＦＩＣ１４のＧＳＭ（登録商標）送信部１４４に入力された送信ベースバンド信号は、信号処理が施されてアップコンバートされた後、パワーアンプ１３で増幅される。そして、送信ローパスフィルタ１１で帯域制限がかけられて、アンテナスイッチ２を通して、アンテナ１から出力される。この時、アンテナスイッチ２はデュアルＲＦＩＣ１４からのアンテナスイッチ切替信号１６によって、ＡＮＴポート−ＲＦ２ポートのパスが接続されるように制御される。
【００３４】
ＧＳＭのＨＢの送受信については、上述したＬＢのそれと同様の動作となるので、その説明は省略するものとする。
【００３５】
上記で説明したように、アンテナスイッチ２の接続パスはアンテナスイッチ切替信号１６によって制御されており、これはデュアルＲＦＩＣ１４から任意に制御を行うことが可能な構成となっている。なお、デュアルＲＦＩＣ１４内のレジスタ１４２は、ＣＰＵ／ＤＢＢ部１５からの制御によって、各部の制御をなすための設定データが各制御タイミング毎に設定されるようになっているものとする。
【００３６】
以下、本実施の形態の動作について、図４〜図６を参照しつつ説明する。ＷＣＤＭＡ方式及びＧＳＭ方式の各送受信の信号の流れについては、前述したとおりである。本発明の特徴としては、ＧＳＭ送信時のアンテナスイッチ制御方法にあり、よって、以下ではＧＳＭ送信について着目して説明するものとする。
【００３７】
前述した如く、図２において、ＧＳＭ送信時は、ＣＰＵ／ＤＢＢ部１５からデュアルＲＦＩＣ１４のＧＳＭ送信部１４４に入力された送信ベースバンド信号は、信号処理が行われ、アップコンバートされた後、パワーアンプ１３で増幅され、ＬＢの場合は送信ローパスフィルタ１１で、ＨＢの場合は送信ローパスフィルタ１２で、それぞれ帯域制限がかけられて、アンテナスイッチ２を通して、アンテナ１から出力される。
【００３８】
この時、アンテナスイッチ２はデュアルＲＦＩＣ１４からのアンテナスイッチ切替信号１６によって、図３の真理値表に基づき、ＬＢの場合はＡＮＴポート−ＲＦ２ポートのパスが、ＨＢの場合はＡＮＴポート−ＲＦ１ポートのパスが接続されるように制御される。本実施の形態では、ＷＣＤＭＡはＨＢとＬＢとのデュアルバンドで示しているが、ＷＣＤＭＡのバンドが更に多い場合は、バンド選択０の論理が追加となることは勿論である。
【００３９】
図４の下側に、ＧＳＭ送信時にＣＰＵ／ＤＢＢ部１５からデュアルＲＦＩＣ１４内のレジスタ１４２に設定される内容の例を、送信波形の変化と共に、時間を追って順（ａ〜ｐ）に示している。以下に、順を追って説明する。
【００４０】
ａ：ＲＸ／ＴＸデータをＣＰＵ／ＤＢＢ部１５からデュアルＲＦＩＣ１４に受け渡すためのインターフェース部をオンする（ＤｉｇＲＦ（Ｉ／Ｆ）ＯＮ）。
ｂ：周波数設定を行う。
ｃ：デュアルＲＦＩＣ１４のＶＣＯ（電圧制御発振器）やＰＬＬ（フェイズロックドループ）シンセサイザ部をオンしてＰＬＬをロックさせる。
【００４１】
ｄ：ＧＳＭ送信立上げ波形生成のためのＲａｍｐ  ｕｐのデータを設定する。
ｅ：ＴＸデータを入力する。
ｆ：デュアルＲＦＩＣ１４のＧＳＭ送信部をオンする。
ｇ：デュアルＲＦＩＣ１４のＲａｍｐ用のＤＡＣ（Ｄ／Ａコンバータ）をオンする。
【００４２】
ｈ：アンテナスイッチ２のＡＮＴポートと接続するパスを切替える（アンテナスイッチ切替）。
ｉ：パワーアンプ１３をオンする（ＰＡ  ＯＮ）。
ｊ：ＧＳＭ送信立下げ波形生成のためのＲａｍｐ  ｄｏｗｎのデータを設定する。
ｋ：パワーアンプ１３をオフする（ＰＡ  ＯＦＦ）。
ｌ：アンテナスイッチ２のＡＮＴポートと接続するパスを切替える（アンテナスイッチ切替）。
【００４３】
ｍ：デュアルＲＦＩＣ１４のＲａｍｐ用のＤＡＣをオフする。
ｎ：デュアルＲＦＩＣ１４のＧＳＭ送信部をオフする（ＴＸ  ＯＦＦ）。
ｏ：デュアルＲＦＩＣ１４のＶＣＯ，ＰＬＬシンセサイザ部をオフする。
ｐ：デュアルＲＦＩＣ１４のインターフェース部をオフする（ＤｉｇＲＦ（Ｉ／Ｆ）ＯＦＦ）。
【００４４】
いままでは、“ｈ”のタイミングで、アンテナスイッチ２の接続パスを、ＬＢの場合は待機時のＲＦ４ポートからＲＦ２ポートへ、ＨＢの場合は待機時のＲＦ３ポートからＲＦ１ポートへ、それぞれ切替えていた。これに対して、本発明では、ＬＢの場合は待機時のＲＦ６ポートからＲＦ２ポートへ、ＨＢの場合は待機時のＲＦ５ポートからＲＦ１ポートへ、それぞれ切替えるのである。すなわち、送信開始に応答して、規格がより厳しい送信立上がりの始めタイミングが経過した後に、アンテナスイッチ２の接続パスをＲＦ１ポートへ切替える。
【００４５】
ここで、図５のＧＳＭ方式におけるフレーム構成（例）図を参照すると、１フレーム構成は、複数のアイドル（Ｉｄｌｅ）スロットと、１つのＲＸスロットと、１つのＴＸスロットからなっている。いままでは、これらアイドルスロットでは、アンテナ１のアンテナスイッチ２による接続パスは、前述した様に、ＧＳＭ送受信系のＲＸパスとして待機していた。これに対して、本発明では、アイドルスロットにおいて、アンテナ１のアンテナスイッチ２による接続パスは、ＷＣＤＭＡパスで待機することとした。
【００４６】
これにより、図４の上側に示している送信波形例の−２８ｕｓ及び５７０．８ｕｓのタイミング付近（規格が一番厳しい部分）において、いままでは実線であったものが、破線のようになって、階段状（実線）で示すＧＳＭ送信のスペックであるＰｏｗｅｒ／Ｔｉｍｅ  ｔｅｍｐｌａｔｅに対して、十分なマージンを維持しつつ満足できることになる。
【００４７】
これまでのように、アンテナスイッチ２をＧＳＭ送受信系のＲＸパスで待機していた場合において、このような波形となる理由は以下のとおりである。すなわち、アンテナスイッチ２をＧＳＭ  ＲＸパスで待機させている状態で、パワーアンプ１３はオフしているが、デュアルＲＦＩＣ１４のＧＳＭ送信部をオンするために、デュアルＲＦＩＣ１４からＧＳＭ送信信号が出力される。
【００４８】
この時、デュアルＲＦＩＣ１４とパワーアンプ１３との間の配線と、デュアルＲＦＩＣ１４と受信バンドパスフィルタ９及び１０との間の配線とが、互いに近くに配置されていると干渉を起こすことになって、受信バンドパスフィルタ９あるいは１０の出力側に、ＧＳＭ送信信号が現れることになる。この信号が受信バンドパスフィルタ９あるいは１０を通過して入力側からアンテナスイッチ２に到達する。
【００４９】
図６に示しているように、ＧＳＭの特定バンドでは、送信周波数帯域と受信周波数帯域とが重複しており、よって、この重複部分では上述したような現象が顕著に発生することになる。この重複部分としては、ＬＢでは、Ｅ−ＧＳＭの送信とＧＳＭ８５０の受信の８８０ＭＨｚ〜８９４ＭＨｚ、ＨＢでは、ＰＣＳ１９００の送信とＤＣＳ１８００の受信の１８５０ＭＨｚ〜１８８０ＭＨｚが、それぞれ該当する。
【００５０】
図７は、本発明の実施の形態における干渉の例を説明するためのものであり、図２と同等部分は同一符号により示している。なお、図７において、太い実線は、送信系と受信系との干渉を説明するための接続パスを示している。図７において、これまでのように、アンテナスイッチ２をＧＳＭ  ＲＸパスで待機させた場合のアンテナ１の出力レベルの算出例を以下に示す。
【００５１】
ここで、デュアルＲＦＩＣ１４のＧＳＭ  送信出力レベルを＋５ｄＢｍ、パワーアンプ１３のオフアイソレーションを２０ｄＢ、送信ローパスフィルタのロスを２ｄＢ、アンテナスイッチ２のＲＦ１ポート−ＡＮＴポート間のアイソレーションを２０ｄＢとした時に、送信パスから出力されるレベルは、
＋５ｄＢｍ−２０ｄＢ−２ｄＢ−２０ｄＢ＝−３７ｄＢｍ  ……（１）
となる。
【００５２】
一方、受信パスは送受信間の配線パターンのアイソレーションを１５ｄＢ、受信バンドパスフィルタのロスを２ｄＢ（重複した周波数の場合）、アンテナスイッチ２のロスを２ｄＢとした時に出力されるレベルは、
＋５ｄＢｍ−１５ｄＢ−２ｄＢ−２ｄＢ＝−１４ｄＢｍ  ……（２）
となる。
【００５３】
アンテナ１の出力レベルは上記の（１）と（２）とを加算したものになるが、（２）が支配的であるので、結果として、ＨＢの場合のスペックである−４８ｄＢｃ（＝−１８ｄＢｍ）を満たすことができない。
【００５４】
一方、本発明の様に、ＷＣＤＭＡのパスで待機した場合には、（１）と同等以下となり、スペックに対して十分のマージンが得られることになる。
【００５５】
以上述べた様に、本発明では、ＧＳＭに代表されるＴＤＭＡ方式の送信時における立上がりの始めのタイミングでのアンテナスイッチの待機パスとして、他のＷＣＤＭＡのようなＴＤＭＡ方式以外の送受信系のパスとすることにより、Ｐｏｗｅｒ／Ｔｉｍｅ  ｔｅｍｐｌａｔｅのスペックを十分満たすことが可能になる。
【００５６】
また、ＴＤＭＡ方式の送受信間のアイソレーションを考慮することなく、回路基板のレイアウト設計が可能となり、設計の自由度が向上することになる。更にはまた、入力がシングルで出力がデュアル構成のダイプレクサタイプのＧＳＭ受信バンドパスフィルタが採用できるので、装置を小形化できるという利点もある。
【００５７】
本発明の他の実施の形態として、図８を参照して説明する。図８において、図２と同等部分は同一符号により示している。
【００５８】
その基本的な構成は図２に示した実施の形態のとおりであるが、アンテナスイッチ２に終端用のポート（Ｔｅｒｍ）を備えており、終端部１７でＧＮＤに終端されている。
【００５９】
本例においても、図４の“ｈ”タイミングでアンテナスイッチ２のＡＮＴポートの接続パスを、図９に示した真理値表に基づき、ＬＢの場合には、ＴｅｒｍポートからＲＦ２ポートへ、またＨＢの場合には、ＴｅｒｍポートからＲＦ１ポートに切り替えるように制御するようにしている。
【００６０】
アンテナスイッチ２を、送信の立上がりの始めにおいてＧＳＭ  ＲＸパスで待機していたものを、本例では、終端部１７で待機することとしている。このように、アンテナスイッチ２のＡＮＴポートを、信号パスではなく、終端部１７に接続して待機することにより、アンテナスイッチ２でのアイソレーションを最大限に得ることができ、やはり、上記のスペックを満たすことができ、先の実施の形態と同様の効果が得られる。
【００６１】
更にはまた、ＧＳＭ送信時の周波数バンドとは異なるＧＳＭ受信バンドのパス、例えば、ＬＢ送信時の場合にはＨＢ受信パスに、ＨＢ送信時の場合にはＬＢ受信のパスに、それぞれ切替えて待機する様にしても、同様な効果が得られる。
【００６２】
上記の実施の形態においては、ＴＤＭＡ通信方式としてＧＳＭ方式を、ＴＤＭＡ以外の通信方式としてＷＣＤＭＡ方式を、それぞれ例として説明しているが、これらに限定されることはなく、他の方式を用いることができることは勿論である。
【００６３】
また、デュアル通信方式に対応した携帯電話機に限らず、デュアル通信方式に対応した一般の通信端末にも広く適用でき、更には、図８の実施の形態や、ＧＳＭ送信時の周波数バンドとは異なるＧＳＭ受信バンドのパスで待機する例では、必ずしもデュアル通信方式に対応した通信端末でなくても良いことは明白である。
【００６４】
なお、上記の各実施の形態におけるアンテナスイッチの各制御動作は、予めその動作手順をプログラムとして記憶媒体に記憶しておき、これをコンピュータ（ＣＰＵ）により読み取って実行するように構成できることは明白である。
【符号の説明】
【００６５】
１，１００  アンテナ
２，２００  アンテナスイッチ
３，４  共用器
５，６  アイソレータ
７，１３  パワーアンプ
８  送信バンドパスフィルタ
９，１０  受信バンドパスフィルタ
１１，１２  送信ローパスフィルタ
１４  デュアルＲＦＩＣ
１５  ＣＰＵ／ＤＢＢ部
１６  アンテナスイッチ切替信号
１７  終端部
１４１  ＷＣＤＭＡ送受信部
１４２  レジスタ
１４３  ＧＳＭ受信部
１４４  ＧＳＭ送信部
３００  ＴＤＭＡ送信系の周波数バンドとは異なるバンドのパス
４００  ＴＤＭＡ送信系
５００  制御部
【図１】
0005402709.tif 000002
【図２】
0005402709.tif 000003
【図３】
0005402709.tif 000004
【図４】
0005402709.tif 000005
【図５】
0005402709.tif 000006
【図６】
0005402709.tif 000007
【図７】
0005402709.tif 000008
【図８】
0005402709.tif 000009
【図９】
0005402709.tif 000010